(57)【要約】      （修正有）【課題】温度を効率的に制御することができ、携帯に便利な保健用赤外線クァサ電気懐炉を提供する。【解決手段】この保健用赤外線クァサ電気懐炉は、相互マッチングするケーシング台座及び台座カバー１を含み、更にインテリジェント制御回路及び発熱体５が含まれ、それらを相互接続してから、制御スイッチ９を通じてバッテリパネル２と接続している。バッテリパネル２はケーシング台座に設置され、インテリジェント制御回路及び発熱体５はケーシング台座の中に設置され、ケーシング台座の底面にある発熱体５の裏面には、赤外線を放射するセラミックス製熱伝達パネル６が設置されている。【選択図】図１
0003169233.tif 000002
【実用新案登録請求の範囲】
【請求項１】
相互マッチングするケーシング台座及び台座カバーが含まれる保健用赤外線クァサ電気懐炉であって、更にインテリジェント制御電気回路及び発熱体が含まれ、それらを相互接続してから、制御スイッチ及びバッテリパネルと接続しているのであって、前記バッテリパネルは前記ケーシング台座の表面にあるバッテリパネル溝内に設置され、前記インテリジェント制御回路及び発熱体は前記ケーシング台座の中に設置され、前記ケーシング台座の底面にある前記発熱体の裏面には赤外線を放射するセラミック製熱伝達パネルが設置されていることを特徴とする、保健用赤外線クァサ電気懐炉。
【請求項２】
前記セラミックス製熱伝達パネルの表面の中央に、突出されたクァサパネルが設置されていることを特徴とする、請求項１に記載の保健用赤外線クァサ電気懐炉。
【請求項３】
前記セラミックス製熱伝達パネルのクァサパネルの周囲に複数の突出点が均一に設置されていることを特徴とする、請求項２に記載の保健用電気懐炉。
【請求項４】
更にランプが含まれ、前記インテリジェント制御回路と接続され、前記ケーシング台座の表面に設置されることを特徴とする、前記請求項１或いは請求項２或いは請求項３に記載の保健用赤外線クァサ電気懐炉。
【請求項５】
前記制御スイッチが前記台座カバーとの境にある前記ケーシング台座に設置されていることを特徴とする、前記請求項４に記載の保健用赤外線クァサ電気懐炉。
【請求項６】
前記バッテリパネルがケーシング台座の壁に設けられた外部接続充電口により充電を行うことを特徴とする、前記請求項５に記載の保健用赤外線クァサ電気懐炉。
【請求項７】
前記ケーシング台座の壁にチェーン掛け口が設けられていることを特徴とする、前記請求項１に記載の保健用赤外線クァサ電気懐炉。
【考案の詳細な説明】
【技術分野】
【０００１】
本考案は、一種の懐炉に関わるもので、具体的に説明すると、一種の保健用赤外線クァサ機能を有する電気懐炉に関わるものである。
【背景技術】
【０００２】
現在市場には充電式電気懐炉が見られる。
【考案の概要】
【考案が解決しようとする課題】
【０００３】
従来の充電式電気懐炉は、一般的には暖房機能を有するだけで、赤外線及び陰イオン機能及びその他の保健機能がない。
【０００４】
この考案の主たる目的は、既存技術に存在している上記問題を解決する為、本実用新案は、一種の保健用赤外線クァサ電気懐炉を提供することにより、電気エネルギーだけでなく、更に保健機能を有する様な構成にして、我々の使用に便宜を図ることである。
【課題を解決するための手段】
【０００５】
本実用新案は、下記の技術案により解決することができる。
本考案である保健赤外線クァサ電気懐炉には、相互マッチングするケーシング台座及び台座カバーが含まれ、更にインテリジェント制御回路及び発熱体が含まれ、それらを相互接続してから、制御スイッチ及びバッテリパネルを接続している。前記バッテリパネルは前記ケーシング台座の表面にあるバッテリパネル溝内に設置され、前記インテリジェント制御回路及び発熱体は前記ケーシング台座の中に設置され、前記ケーシング台座の底面にある前記発熱体の裏面には赤外線を放射するセラミックス製熱伝達パネルが設置されている。
【０００６】
本考案にかかる保健用赤外線クァサ電気懐炉は、前記セラミックス製熱伝達パネルの表面の中央に、突出されたクァサパネルが設置されてもよい。
本考案にかかる保健用赤外線クァサ電気懐炉は、前記セラミックス製熱伝達パネルのクァサパネルの周囲に複数の突出点が均一に設置されてもよい。
本考案にかかる保健用赤外線クァサ電気懐炉は、更にランプが含まれ、前記インテリジェント制御回路と接続され、前記ケーシング台座の表面に設置されてもよい。
本考案にかかる保健用赤外線クァサ電気懐炉は、前記制御スイッチが前記台座カバーとの境にある前記ケーシング台座に設置されてもよい。
本考案にかかる保健用赤外線クァサ電気懐炉は、前記バッテリパネルがケーシング台座の壁に設けられた外部接続充電口により充電を行うように構成されてもよい。
本考案にかかる保健用赤外線クァサ電気懐炉は、前記ケーシング台座の壁にチェーン掛け口が設けられてもよい。
【考案の効果】
【０００７】
上記技術案を採用することにより、この考案である保健用赤外線クァサ電気懐炉は電気を使用し、インテリジェント制御回路及び制御スイッチを通じて、温度を効率的に制御することによって、異なる時間と異なる人のニーズに満足させ、使用が非常に便利で、安全で、いつでも充電することができ、携帯も便利で有る。更に、そのセラミックス製熱伝達パネルの中央には、クァサパネル及びクァサパネル周囲の突出点が設けられ、つぼをマッサージすることにより、保健製品として、熱量で人を暖ためると同時に、保健の役割も果たす様にしている。
【０００８】
本考案は、前記セラミックス製熱伝達パネルの表面の中央に突出したクァサパネルが設置され、前記セラミックス製熱伝達パネルの前記クァサパネルの周囲に複数の突出点が均一に設置され、そのクァサパネルは、体に良い赤外線を放出して、血液循環を促進する等の効能があり、更にランプが含まれて、それが前記インテリジェント制御回路と接続されて、前記ケーシング台座の表面に設置され、前記制御スイッチが前記ケーシング台座カバーの境にある前記ケーシング台座に設置され、前記バッテリパネルがケーシング台座の壁にある外部接続充電口により充電を行い、前記ケーシング台座にチェーン掛け口が設けられている。
【０００９】
この考案の上述の目的，その他の目的，特徴及び利点は、図面を参照して行う以下の考案を実施するための最良の形態の詳細な説明から一層明らかとなろう。
【図面の簡単な説明】
【００１０】
【図１】この考案の一実施の形態である保健赤外線クァサ電気懐炉の組立図である。
【図２】図１図示保健用赤外線クァサ電気懐炉の中間カバーの組立方法を示す簡略図解図である。
【図３】図１図示保健用赤外線クァサ電気懐炉の下カバーの組立方法を示す簡略図解図である。
【考案を実施するための形態】
【００１１】
以下に添付図と実施の形態に基づいて、この考案にかかる懐炉について更に説明する。
図１に示す通りに、この考案の保健用赤外線クァサ電気懐炉には、相互マッチングするケーシング台座と、台座カバー１とが含まれる。
【００１２】
当該ケーシング台座には、中間カバー３と下カバー４が含まれる。中間カバー３と下カバー４との間には、ＰＣボード８が固定される。
更に、ＰＣボード８のうち、一方のＰＣボード８Ａは、穿設された孔８ａに、中間カバー３の表面（下カバー４と対向する面）の一方側にある円柱状突出部３ｃを嵌挿し、固定される。
又、ＰＣボード８のうち他方のＰＣボード８Ｂは、中間カバー３の表面（下カバー４と対向する面）の他方の側にあるＰＣボード用凹み３ｄに固定される。
【００１３】
当該懐炉には、更にインテリジェント制御回路及び発熱体５が含まれる。
それら（インテリジェント制御回路及び発熱体５）を相互に電気的に接続してから、制御スイッチ９とバッテリパネル２を電気的に接続している。
本実施例での制御スイッチ９は、台座カバー１との境にあるケーシング台座の中間カバー３に設置され、“ＯＦＦ”、“高温”、“低音”の押しボタンが含まれる。
バッテリパネル２は、ケーシング台座の中間カバー３の表面（下カバー４と対向する面）にあるバッテリパネル溝３ａ内に設置される。
【００１４】
インテリジェント制御回路は、ケーシング台座の中間カバー３と下カバー４とからなる空チャンバーの中に設置される。
バッテリパネル２は、下カバー４の表面側に設置される。
発熱体５は、下カバー４の底面（セラミックス製熱伝達パネル６と対向する面）にある発熱体溝４ａに設置される。
ケーシング台座の下カバー４の底面にある発熱体５の裏面（中間カバー３が固定される面とは反対側の面）には、赤外線セラミックス製熱伝達パネル６が設置されている。
【００１５】
赤外線セラミックス製熱伝達パネル６の表面（下カバー４が固定される面とは反対側の面）の中央には、突出された突条のクァサパネル７が設置され、当該赤外線セラミックス製熱伝達パネル６の前記クァサパネル７の周囲には複数の突出点１０が設置される。
当該クァサパネル７及び突出点１０は、人の体に対して、いつでも熱クァサ、マッサージ、高温針灸等を行うことができる。
クァサとは、固いものに油や水をつけて胸や背中をこすって皮膚を充血させ、内部の炎症を軽くし治療する民間治療方法である。クァサは、「かっさ」ともいう。突条のクァサパネル７の部分を使い、経路（ツボの流れ）に沿ってこする。さすれば、毛細血管に圧を加えて血液の毒を押し出し、体内の「気・血・水」の通り道である経路の流れをスムーズにして体調を整えることができる。
【００１６】
中間カバー３と下カバー４とは、ビス１１で、固定される。
下カバー４とセラミックス熱伝達パネル６とは、ビス１２で固定される。
本実施例において、ビス１１は、中間カバー３の孔３ｂに嵌挿され、下カバー４に螺着される。
本実施例において、ビス１２は、セラミックス熱伝達パネル６の孔６ａに嵌挿され、且つ下カバー４の孔４ｂに螺着される。
台座カバー１と中間カバー３とは、嵌合して固定されるかあるいはビス等で適宜固定される。
【００１７】
本実施例において、更にランプが含まれ、それがインテリジェント制御回路と接続される。
ランプは、ケーシング台座の中間カバー３の表面に設置され、台座カバー１を閉じた後、透明の台座カバー１を通して、ランプの明るさが見えて、対応する充電等の操作を行うことができる。
当該懐炉の充電を提示された場合、バッテリパネル２は、ケーシング台座の壁に設けられた外部接続充電口を通じて充電を行う。
【００１８】
外観を綺麗にする為、ケーシング台座の壁にはチェーンをぶら下げるチェーン掛け口が設けられている。
【００１９】
本実用新型の保健用赤外線クァサ電気懐炉は、お客様のニーズに合わせてサイズを自由に設計することができる。
本実施例では、長さ、幅、高さがそれぞれ８５、６２、２２ｍｍに設計されている。
【００２０】
然し、前記具体的な実施の形態は、例を示すだけで、本分野での技術者が本考案のことを更に分かり易く説明する為に示されているのであって、本考案に含まれる範囲の制限であると理解してはいけない。
本考案により掲示されるいかなる等価変更或いは修飾は、いずれも本実用新案登録請求の範囲に含まれる範囲である。
【符号の説明】
【００２１】
１  ケーシング台座カバー
２  バッテリパネル
３  中間カバー
３ａ  バッテリパネル溝
３ｂ  孔
３ｃ  突出部
３ｄ  凹み
４  下カバー
４ａ  発熱体溝
４ｂ  孔
５  発熱体
６  セラミックス熱伝達パネル
６ａ  孔
７  クァサパネル
８，８Ａ，８Ｂ  ＰＣボード
８ａ  孔
９  制御スイッチ
１０  突出点
１１，１２  ビス
【図１】
0003169233.tif 000003
【図２】
0003169233.tif 000004
【図３】
0003169233.tif 000005